(57)【特許請求の範囲】
【請求項１】
噴出ヘッドを装着したエアゾール容器にオーバーキャップを装着した内容物噴出容器であって、
エアゾール容器は、肩部上端に係合環を形成したマウンテンカップを具えており、
オーバーキャップは、押下げキャップと、該押下げキャップを取り外し可能とした係合キャップとからなり、
押下げキャップは、頂壁と、頂壁下面に垂設された係合筒とを具え、
係合筒の内周には、指掛片が配設され、下端には、マウンテンカップの係合環に係合可能な嵌合突部が設けられ、外周には、所定位置に係合突部が配設され、
係合キャップは、上壁と、上壁の内縁に垂設された内筒と外縁に垂設された外筒とを具え、
内筒は、押下げキャップの係合筒の外周に係合する上部筒と、上部筒の下端に連設する下部筒とを具え、
上部筒の下部には、押下げキャップの係合突部に係合する係合溝部が穿設され、
下部筒の下端には、マウンテンカップの係合環に係合する係合突部が設けられており、
押下げキャップを係合キャップに対して廻動させることにより、押下げキャップの係合突部と、係合キャップの係合溝部との係合を外すことができ、押下げキャップをエアゾール容器に装着したとき、押下げキャップの頂壁下面が噴出ヘッドに当接し、押下げ状態を維持できるようにしたことを特徴とするエアゾール容器のガス抜き機構。
【請求項２】
係合キャップの内筒の下部筒は、上部筒の内周下端より段部を介して縮径して垂設されていることを特徴とする請求項１記載のエアゾール容器のガス抜き機構。
【請求項３】
噴出ヘッドを装着したエアゾール容器にオーバーキャップを装着した内容物噴出容器であって、
エアゾール容器は、肩部上端に係合環を形成したマウンテンカップと、肩部下部に係合部とを具えており、
オーバーキャップは、押下げキャップと、該押下げキャップを取り外し可能とした係合キャップとからなり、
押下げキャップは、頂壁と、頂壁下面に垂設された係合筒とを具え、
係合筒の内周には、指掛片が配設され、下端には、マウンテンカップの係合環に係合可能な嵌合突部が設けられ、外周には、所定位置に係合突部が配設され、
係合キャップは、上壁と、上壁の内縁に垂設された内筒と外縁に垂設された外筒とを具え、
内筒は、押下げキャップの係合筒の外周に係合し、下部には、押下げキャップの係合突部に係合する係合溝部が穿設され、
外筒は、下端にエアゾール容器の肩部下部の係合部に係合する係合突条が設けられ、
押下げキャップを係合キャップに対して廻動させることにより、押下げキャップの係合突部と、係合キャップの係合溝部との係合を外すことができ、押下げキャップをエアゾール容器に装着したとき、押下げキャップの頂壁下面が噴出ヘッドに当接し、押下げ状態を維持できるようにしたことを特徴とするエアゾール容器のガス抜き機構。
【請求項４】
係合キャップの内筒の係合溝部は、対向する円周方向の２個所に一定幅で設けられ、押下げキャップの係合筒の係合突部の側周面は、押下げキャップが廻動されることにより、係合溝部に嵌合した状態から係合キャップの内筒の内周面に乗り上げ、押下げキャップを上方に摺動して係合キャップから取り外し可能となるように形成されていることを特徴とする請求項１〜３のいずれかに記載のエアゾール容器のガス抜き機構。
【発明の詳細な説明】
【技術分野】
【０００１】
本発明は、エアゾール容器、とくに使用後における容器内の残留ガス抜き取り機構に関するものである。
【背景技術】
【０００２】
噴出ヘッドを装着したエアゾール容器に、噴出ヘッドを保護するオーバーキャップを装着した内容物噴出容器において、使用済みエアゾール容器の残留ガスを抜き取るために、エアゾール容器に装着した肩カバーを取外し、オーバーキャップをエアゾール容器に直接装着することで噴出ヘッドを押下げ位置に維持して残留ガスを抜き取るようにした内容物噴出容器は、従来より知られている（例えば、特許文献１参照）。
【０００３】
また、使用済みエアゾール容器の残留ガスを抜き取るために、オーバーキャップの中央に装着したボタンカップを押下げ、噴出ヘッドを押下げ位置に維持して残留ガスを抜き取るようにした内容物噴出容器は、従来より知られている（例えば、特許文献２参照）。
【特許文献１】特開２００１−２１５４号公報
【特許文献１】特開２００１−５５２８４号公報
【発明の開示】
【発明が解決しようとする課題】
【０００４】
しかしながら、上記特許文献１記載の内容物噴出容器では、内容物がまだ残っている時に、肩カバーが外れてしまうと、オーバーキャップをエアゾール容器に装着して使用することができなくなるという問題もあった。
上記特許文献２記載の内容物噴出容器でも、内容物がまだ残っている時に、ボタンカップを押下げると噴出ヘッドが押下げられ、内容物が無駄に噴出してしまうという問題があった。
【０００５】
本発明は、上記問題を解決することを課題とし、内容物噴出容器として、内容物がまだ残っている時には、オーバーキャップが噴出ヘッドを押下げることがなく確実に使用でき、使用済みエアゾール容器の残留ガスを抜き取る時には、オーバーキャップの一部を外した後にエアゾール容器の上部に装着し、残留ガスを抜き取るようにしたエアゾール容器のガス抜き機構を提供することを目的とする。
【課題を解決するための手段】
【０００６】
本発明は、上記の課題を解決するため、エアゾール容器のガス抜き機構として、噴出ヘッドを装着したエアゾール容器にオーバーキャップを装着した内容物噴出容器であって、エアゾール容器は、肩部上端に係合環を形成したマウンテンカップを具えており、オーバーキャップは、押下げキャップと、該押下げキャップを取り外し可能とした係合キャップとからなり、押下げキャップは、頂壁と、頂壁下面に垂設された係合筒とを具え、係合筒の内周には、指掛片が配設され、下端には、マウンテンカップの係合環に係合可能な嵌合突部が設けられ、外周には、所定位置に係合突部が配設され、係合キャップは、上壁と、上壁の内縁に垂設された内筒と外縁に垂設された外筒とを具え、内筒は、押下げキャップの係合筒の外周に係合する上部筒と、上部筒の下端に連設する下部筒とを具え、上部筒の下部には、押下げキャップの係合突部に係合する係合溝部が穿設され、下部筒の下端には、マウンテンカップの係合環に係合する係合突部が設けられており、押下げキャップを係合キャップに対して廻動させることにより、押下げキャップの係合突部と、係合キャップの係合溝部との係合を外すことができ、押下げキャップをエアゾール容器に装着したとき、押下げキャップの頂壁下面が噴出ヘッドに当接し、押下げ状態を維持できるようにしたことを特徴とする構成を採用する。
【０００７】
ガス抜き機構の具体的な実施例として、係合キャップの内筒の下部筒は、上部筒の内周下端より段部を介して縮径して垂設されていることを特徴とする構成を採用する。
【０００８】
ガス抜き機構の他の実施例として、噴出ヘッドを装着したエアゾール容器にオーバーキャップを装着した内容物噴出容器であって、エアゾール容器は、肩部上端に係合環を形成したマウンテンカップと、肩部下部に係合部とを具えており、オーバーキャップは、押下げキャップと、該押下げキャップを取り外し可能とした係合キャップとからなり、押下げキャップは、頂壁と、頂壁下面に垂設された係合筒とを具え、係合筒の内周には、指掛片が配設され、下端には、マウンテンカップの係合環に係合可能な嵌合突部が設けられ、外周には、所定位置に係合突部が配設され、係合キャップは、上壁と、上壁の内縁に垂設された内筒と外縁に垂設された外筒とを具え、内筒は、押下げキャップの係合筒の外周に係合し、下部には、押下げキャップの係合突部に係合する係合溝部が穿設され、外筒は、下端にエアゾール容器の肩部下部の係合部に係合する係合突条が設けられ、押下げキャップを係合キャップに対して廻動させることにより、押下げキャップの係合突部と、係合キャップの係合溝部との係合を外すことができ、押下げキャップをエアゾール容器に装着したとき、押下げキャップの頂壁下面が噴出ヘッドに当接し、押下げ状態を維持できるようにしたことを特徴とする構成を採用する。
【０００９】
ガス抜き機構のさらなる具体的実施例として、係合キャップの内筒の係合溝部は、対向する円周方向の２個所に一定幅で設けられ、押下げキャップの係合筒の係合突部の側周面は、押下げキャップが廻動されることにより、係合溝部に嵌合した状態から係合キャップの内筒の内周面に乗り上げ、押下げキャップを上方に摺動して係合キャップから取り外し可能となるように形成されていることを特徴とする構成を採用する。
【発明の効果】
【００１０】
噴出ヘッドを装着したエアゾール容器にオーバーキャップを装着した内容物噴出容器において、オーバーキャップを、押下げキャップと係合キャップとから形成し、エアゾール容器のガス抜きの際、係合キャップに対して押下げキャップを廻動させ、押下げキャップを係合キャップから外した後、押下げキャップをエアゾール容器の係合環に装着することにより、押下げキャップが噴出ヘッドの押下げ状態を維持できるようにしたので、エアゾール容器のガス抜きが、簡単にかつ確実に行われるようになった。
【発明を実施するための最良の形態】
【００１１】
次に、本発明の噴出容器について、実施例をあげ、図面を参照して説明する。
【実施例１】
【００１２】
図１において、Ａはエアゾール容器、Ｂはエアゾール容器Ａに装着された噴出ヘッド、Ｃはエアゾール容器Ａに装着されたオーバーキャップである。
【００１３】
エアゾール容器Ａは、金属製、または合成樹脂製であり、胴部１と、胴部１上端から内側上方に傾斜する肩部２と、肩部２上端に連設されたマウンテンカップ３とを具備している。
マウンテンカップ３は、上部に係合環４を形成し、内方中央には、上端にステム５を突出したエアゾールバルブが取着されている。
【００１４】
噴出ヘッドＢは、合成樹脂によって成形され、エアゾール容器Ａのステム５に装着されており、頂壁１０と、頂壁１０外縁に垂設され、噴出孔１１を配設した側周壁１２とを具えており、頂壁１０は、噴出孔１１の側を高くした傾斜面からなっている。
【００１５】
図１、２に示すように、オーバーキャップＣは、合成樹脂によって成形され、押下げキャップＣ１と、係合キャップＣ２とからなっている。
押下げキャップＣ１は、頂壁１５と、頂壁１５の下面に垂設された係合筒１６とを具えており、頂壁周縁には、嵌合リング１５ａが垂設されている。
係合筒１６の内周には、上部の所定の位置に、頂壁１５下面から垂設される指掛片１７が配設され、下端に、エアゾール容器Ａのマウンテンカップ３の係合環４外周に係合する嵌合突部１８が設けられている。
係合筒１６の外周には、所定の位置に係合突部１９が配設されている。
【００１６】
押下げキャップＣ１の係合筒１６内周下部には、押下げキャップＣ１内から外に通じる空気の流路が、縦溝など（図示しない）により設けられている。
【００１７】
係合キャップＣ２は、押下げキャップＣ１の頂壁１５下面に当接し、嵌合リング１５ａと係合する嵌合リング２０ａを立設した上壁２０と、上壁２０の内縁に垂設された内筒２１と、上壁２０の外縁に垂設された外筒２２とを具えている。
内筒２１は、押下げキャップＣ１の係合筒１６の外周に係合する上部筒２３と、上部筒２３の内周下端より段部２４を介して縮径されて形成される下部筒２５とを具えている。
【００１８】
上部筒２３の下部には、図２、図３（ａ）に示すように、押下げキャップＣ１の係合筒１６の外周の所定の位置に配設した係合突部１９に係合する一定巾の係合溝部２６が穿設されている。
下部筒２５の内周下端には、エアゾール容器Ａのマウンテンカップ３の係合環４外周に係合する係合突部２７が設けられている。
【００１９】
次に、本実施例の噴出容器の使用態様と、作用効果について説明する。
噴出容器の組立は、まず、係合キャップＣ２の内筒２１内に上方より押下げキャップＣ１の係合筒１６を挿入し、内筒２１の係合溝部２６に係合筒１６の外周に配設した係合突部１９を係合させるとともに、押下げキャップＣ１の頂壁１５周縁の嵌合リング１５ａと係合キャップＣ２の上壁２０上面の嵌合リング２０ａを係合させて、押下げキャップＣ１を係合キャップＣ２に装着したオーバーキャップＣを形成する。
【００２０】
次に、ステム５に噴出ヘッドＢを装着したエアゾール容器Ａの上方にオーバーキャップＣを被せ、エアゾール容器Ａのマウンテンカップ３の係合環４に係合キャップＣ２の内筒２１の下部筒２５下端の係合突部２７を係合させることで、エアゾール容器Ａの上部にオーバーキャップＣを装着し、閉蓋した噴出容器を得ることができる。
【００２１】
噴出容器の使用にあたっては、係合キャップＣ２の外筒２２を把持してオーバーキャップＣをエアゾール容器Ａから上方に引張って開蓋し、噴出ヘッドＢを押下げ操作すると、内容物を噴出孔１１から噴出させることができる。
【００２２】
内容物を全て使用し、エアゾール容器Ａを廃棄する際には、エアゾール容器Ａ内の残留ガスの抜き取りを行う。
残留ガスの抜き取りは、まず、オーバーキャップＣをエアゾール容器Ａから取外し、押下げキャップＣ１の内方の指掛片１７に指などを掛け、係合キャップＣ２に対し押下げキャップＣ１を廻動させる。
【００２３】
廻動させることで、図３（ｂ）に示すように、押下げキャップＣ１の係合筒１６に配設した係合突部１９と係合キャップＣ２の内筒２１の係合溝部２６の係合が外れるとともに、係合突部１９の側周が内筒２１の上部筒２３内周面に当接して、内筒２１は一部を変形させられる。
【００２４】
係合キャップＣ２の内筒２１の一部を変形したまま、押下げキャップＣ１を下方から押し上げると、係合キャップＣ２の内筒２１内から押下げキャップＣ１が上方に摺動し、最後は外れる。
【００２５】
次に、押下げキャップＣ１を直接エアゾール容器Ａの上方に被せ、エアゾール容器Ａのマウンテンカップ３の係合環４外周に押下げキャップＣ１の係合筒１６の嵌合突部１８を係合させて装着し、閉蓋する。
【００２６】
エアゾール容器Ａの上部に押下げキャップＣ１を装着すると、図４に示すように、押下げキャップＣ１の頂壁１５の下面が噴出ヘッドＢの頂壁１０上面に当接し、噴出ヘッドＢを一定の位置まで押下げ、残留ガスの抜き取りが行われる。
残留ガスは、噴出ヘッドＢの噴出孔１１から押下げキャップＣ１内に噴出され、押下げキャップＣ１に設けた空気の流路を通り、エアゾール容器Ａ外に排出される。
【００２７】
押下げキャップＣ１の係合筒１６の嵌合突部１８と、エアゾール容器Ａのマウンテンカップ３の係合環４との係合が維持され、そのまま放置するだけで、ガスの抜き取りが継続され、エアゾール容器Ａ内の残留ガスや内容物は完全に抜き取られ、エアゾール容器Ａを安全に廃棄することができる。
また、エアゾール容器Ａ内の残留ガスや内容物を完全に抜き取り後、エアゾール容器Ａから押下げキャップＣ１を取外し、分別廃棄することもできる。
【００２８】
上記実施例では、係合キャップＣ２の内筒２１の内周下端に設けた係合突部２７と、エアゾール容器Ａのマウンテンカップ３の係合環４外周とを係合させて、エアゾール容器Ａの上部にオーバーキャップＣを装着して閉蓋したが、変形実施例として、図５に示すように、エアゾール容器Ａの肩部２の外縁に係合部２ａを設け、係合キャップＣ２の外筒２２の内周下端に肩部２の外縁に設けた係合部２ａに係合する係合突条２２ａを設けて、エアゾール容器Ａの上部にオーバーキャップＣを装着し、閉蓋するように係合キャップＣ２を形成してもよい。
【００２９】
係合キャップＣ２の外筒２２の内周下端に係合突条２２ａを設ける場合には、内筒２１の下部筒２５は必要としないので、係合キャップＣ２の成形が簡単なものとなる。
オーバーキャップの係合キャップをエアゾール容器に装着させる構成は、上記実施例の形態に限定されない。
【産業上の利用可能性】
【００３０】
本発明は、押下げキャップと係合キャップとからなるオーバーキャップの押下げキャップを係合キャップに対して回転させることで取外し、押下げキャップのみをエアゾール容器の上部に装着することで残留ガスの抜き取りができるので、種々のエアゾール容器のガス抜き機構として広く利用できる。
【図面の簡単な説明】
【００３１】
【図１】本発明の第１実施例の噴出容器の断面立面図である。
【図２】オーバーキャップの説明図で、（ａ）は断面立面図、（ｂ）は下面図である。
【図３】オーバーキャップの図２（ａ）のＡ−Ａ線における切断下面図で、（ａ）は押下げキャップ装着時、（ｂ）は押下げキャップ回転時の図である。
【図４】押下げキャップをエアゾール容器に直接装着した時の断面立面図である。
【図５】変形実施例の断面立面図である。
【符号の説明】
【００３２】
Ａ          エアゾール容器
Ｂ          噴出ヘッド
Ｃ          オーバーキャップ 
Ｃ１        押下げキャップ
Ｃ２        係合キャップ
１          胴部
２          肩部
２ａ        係合部
３          マウンテンカップ
４          係合環
５          ステム
１０、１５  頂壁
１１        噴出孔
１２        側周壁
１６        係合筒
１７        指掛片
１８        嵌合突部
１９        係合突部
２０        上壁
２１        内筒
２２        外筒
２３        上部筒
２４        段部
２５        下部筒
２６        係合溝部
【図１】
0004937697.tif 000002
【図２】
0004937697.tif 000003
【図３】
0004937697.tif 000004
【図４】
0004937697.tif 000005
【図５】
0004937697.tif 000006